【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
入力された画像データを加工する加工処理手段と、
前記加工処理手段による同一の画像データに対する加工履歴を記憶する記憶手段と、
前記加工履歴中の任意の加工処理を選択する選択手段と、
前記選択手段により選択された加工処理を前記加工履歴から削除してもよいか否かを判定する判定手段と、
前記選択手段により選択された加工処理を前記加工履歴から削除する削除手段と、
を具備することを特徴とする画像処理装置。
【請求項２】
前記判定手段は、前記加工履歴が前記画像データ中の一部の領域を他の領域にコピーする処理を含む場合に、前記選択された加工処理を前記加工履歴から削除してはいけないと判定することを特徴とする請求項１に記載の画像処理装置。
【請求項３】
入力された画像データと、前記画像データを撮像した撮像装置における撮像素子の近傍に付着した異物の位置及び大きさに関する情報を含む異物情報とに基づいて、前記画像データを補正する画像処理装置であって、
前記画像データと、前記異物情報とに基づいて、前記画像データ中に写り込んだ前記異物の影の影響を少なくするように、前記画像データを補正する補正手段と、
前記補正手段による同一の画像データに対する補正履歴を記憶する記憶手段と、
前記補正履歴中の任意の補正処理を選択する選択手段と、
前記選択手段により選択された補正処理を前記補正履歴から削除してもよいか否かを判定する判定手段と、
前記選択手段により選択された補正処理を前記補正履歴から削除する削除手段と、
を具備することを特徴とする画像処理装置。
【請求項４】
前記判定手段は、前記補正履歴が前記画像データ中の一部の領域を他の領域にコピーする処理を含む場合に、前記選択された補正処理を前記補正履歴から削除してはいけないと判定することを特徴とする請求項３に記載の画像処理装置。
【請求項５】
入力された画像データを加工する加工処理工程と、
前記加工処理工程における同一の画像データに対する加工履歴を記憶する記憶工程と、
前記加工履歴中の任意の加工処理を選択する選択工程と、
前記選択工程において選択された加工処理を前記加工履歴から削除してもよいか否かを判定する判定工程と、
前記選択工程において選択された加工処理を前記加工履歴から削除する削除工程と、
を具備することを特徴とする画像処理方法。
【請求項６】
入力された画像データと、前記画像データを撮像した撮像装置における撮像素子の近傍に付着した異物の位置及び大きさに関する情報を含む異物情報とに基づいて、前記画像データを補正する画像処理装置を制御する方法であって、
前記画像データと、前記異物情報とに基づいて、前記画像データ中に写り込んだ前記異物の影の影響を少なくするように、前記画像データを補正する補正工程と、
前記補正工程における同一の画像データに対する補正履歴を記憶する記憶工程と、
前記補正履歴中の任意の補正処理を選択する選択工程と、
前記選択工程において選択された補正処理を前記補正履歴から削除してもよいか否かを判定する判定工程と、
前記選択工程において選択された補正処理を前記補正履歴から削除する削除工程と、
を具備することを特徴とする画像処理装置の制御方法。
【請求項７】
入力された画像データを加工する加工処理工程と、
前記加工処理工程における同一の画像データに対する加工履歴を記憶する記憶工程と、
前記加工履歴中の任意の加工処理を選択する選択工程と、
前記選択工程において選択された加工処理を前記加工履歴から削除してもよいか否かを判定する判定工程と、
前記選択工程において選択された加工処理を前記加工履歴から削除する削除工程と、
をコンピュータに実行させることを特徴とするプログラム。
【請求項８】
入力された画像データと、前記画像データを撮像した撮像装置における撮像素子の近傍に付着した異物の位置及び大きさに関する情報を含む異物情報とに基づいて、前記画像データを補正する画像処理装置としてコンピュータを機能させるプログラムであって、
前記画像データと、前記異物情報とに基づいて、前記画像データ中に写り込んだ前記異物の影の影響を少なくするように、前記画像データを補正する補正工程と、
前記補正工程における同一の画像データに対する補正履歴を記憶する記憶工程と、
前記補正履歴中の任意の補正処理を選択する選択工程と、
前記選択工程において選択された補正処理を前記補正履歴から削除してもよいか否かを判定する判定工程と、
前記選択工程において選択された補正処理を前記補正履歴から削除する削除工程と、
をコンピュータに実行させることを特徴とするプログラム。
【手続補正２】
【補正対象書類名】明細書
【補正対象項目名】００１５
【補正方法】変更
【補正の内容】
【００１５】
上述した課題を解決し、目的を達成するために、本発明に係わる画像処理装置は、入力された画像データを加工する加工処理手段と、前記加工処理手段による同一の画像データに対する加工履歴を記憶する記憶手段と、前記加工履歴中の任意の加工処理を選択する選択手段と、前記選択手段により選択された加工処理を前記加工履歴から削除してもよいか否かを判定する判定手段と、前記選択手段により選択された加工処理を前記加工履歴から削除する削除手段と、を具備することを特徴とする。
【手続補正３】
【補正対象書類名】明細書
【補正対象項目名】００１６
【補正方法】変更
【補正の内容】
【００１６】
また、本発明に係わる画像処理装置は、入力された画像データと、前記画像データを撮像した撮像装置における撮像素子の近傍に付着した異物の位置及び大きさに関する情報を含む異物情報とに基づいて、前記画像データを補正する画像処理装置であって、前記画像データと、前記異物情報とに基づいて、前記画像データ中に写り込んだ前記異物の影の影響を少なくするように、前記画像データを補正する補正手段と、前記補正手段による同一の画像データに対する補正履歴を記憶する記憶手段と、前記補正履歴中の任意の補正処理を選択する選択手段と、前記選択手段により選択された補正処理を前記補正履歴から削除してもよいか否かを判定する判定手段と、前記選択手段により選択された補正処理を前記補正履歴から削除する削除手段と、を具備することを特徴とする。
【手続補正４】
【補正対象書類名】明細書
【補正対象項目名】００１７
【補正方法】変更
【補正の内容】
【００１７】
また、本発明に係わる画像処理方法は、入力された画像データを加工する加工処理工程と、前記加工処理工程における同一の画像データに対する加工履歴を記憶する記憶工程と、前記加工履歴中の任意の加工処理を選択する選択工程と、前記選択工程において選択された加工処理を前記加工履歴から削除してもよいか否かを判定する判定工程と、前記選択工程において選択された加工処理を前記加工履歴から削除する削除工程と、を具備することを特徴とする。
【手続補正５】
【補正対象書類名】明細書
【補正対象項目名】００１８
【補正方法】変更
【補正の内容】
【００１８】
また、本発明に係わる画像処理装置の制御方法は、入力された画像データと、前記画像データを撮像した撮像装置における撮像素子の近傍に付着した異物の位置及び大きさに関する情報を含む異物情報とに基づいて、前記画像データを補正する画像処理装置を制御する方法であって、前記画像データと、前記異物情報とに基づいて、前記画像データ中に写り込んだ前記異物の影の影響を少なくするように、前記画像データを補正する補正工程と、前記補正工程における同一の画像データに対する補正履歴を記憶する記憶工程と、前記補正履歴中の任意の補正処理を選択する選択工程と、前記選択工程において選択された補正処理を前記補正履歴から削除してもよいか否かを判定する判定工程と、前記選択工程において選択された補正処理を前記補正履歴から削除する削除工程と、を具備することを特徴とする。
【手続補正６】
【補正対象書類名】明細書
【補正対象項目名】００１９
【補正方法】変更
【補正の内容】
【００１９】
また、本発明に係わるプログラムは、入力された画像データを加工する加工処理工程と、前記加工処理工程における同一の画像データに対する加工履歴を記憶する記憶工程と、前記加工履歴中の任意の加工処理を選択する選択工程と、前記選択工程において選択された加工処理を前記加工履歴から削除してもよいか否かを判定する判定工程と、前記選択工程において選択された加工処理を前記加工履歴から削除する削除工程と、をコンピュータに実行させることを特徴とする。
【手続補正７】
【補正対象書類名】明細書
【補正対象項目名】００２０
【補正方法】変更
【補正の内容】
【００２０】
また、本発明に係わるプログラムは、入力された画像データと、前記画像データを撮像した撮像装置における撮像素子の近傍に付着した異物の位置及び大きさに関する情報を含む異物情報とに基づいて、前記画像データを補正する画像処理装置としてコンピュータを機能させるプログラムであって、前記画像データと、前記異物情報とに基づいて、前記画像データ中に写り込んだ前記異物の影の影響を少なくするように、前記画像データを補正する補正工程と、前記補正工程における同一の画像データに対する補正履歴を記憶する記憶工程と、前記補正履歴中の任意の補正処理を選択する選択工程と、前記選択工程において選択された補正処理を前記補正履歴から削除してもよいか否かを判定する判定工程と、前記選択工程において選択された補正処理を前記補正履歴から削除する削除工程と、をコンピュータに実行させることを特徴とする。